(57)【特許請求の範囲】
【請求項１】
建物の外壁部側に配置された外柱の側方に離間して配置される外壁縦フレームの一部を構成しかつ平断面形状がコ字状に形成され、外壁面材が取り付けられる第１外壁面材取付部と、当該第１外壁面材取付部の屋内側に離間して配置され板状に構成された断熱材が当接されかつ支持される断熱材取付部と、前記第１外壁面材取付部と前記断熱材取付部とを連結する連結部と、を含んで構成された第１縦フレームと、
前記外壁縦フレームの他の一部を構成し、前記第１外壁面材取付部と同一の構成の第２外壁面材取付部と、当該第２外壁面材取付部に設けられると共に前記連結部に平行に配置されかつ前記連結部に取り付けられる結合部と、を含んで構成されかつ平断面形状が前記第２外壁面材取付部と前記結合部とによりＬ字状に形成された第２縦フレームと、
を有し、
前記断熱材は、前記第１縦フレームと前記第２フレームとの間にて分割され、
前記第１縦フレームの前記断熱材取付部は、分割された前記断熱材のうち一方側のみに当接されている、
外壁フレーム。
【請求項２】
前記外柱は、前記建物における出隅部に配置されており、
前記第２縦フレームは、前記外柱に対向した位置に設けられかつ前記外柱と前記第２縦フレームとの間には繊維系断熱材が設けられている、
請求項１記載の外壁フレーム。
【発明の詳細な説明】
【技術分野】
【０００１】
本発明は、外壁フレームに関する。
【背景技術】
【０００２】
下記特許文献１には、間柱（外壁縦フレーム）の固定構造が開示されている。この間柱は、建物ユニットの外柱を挟んで２つ設けられていると共に、一方の間柱と他方の間柱とは外柱の側面に取り付けられた固定金具を介して外柱に固定されている。固定金具は、平断面形状が外柱の２側面に沿った略Ｌ字状に形成されている。これにより、固定金具ひいては間柱は、外柱に対して正しい位置に配置されると共に、間柱に荷重が加わった場合の間柱のねじれ変形が抑制される。
【先行技術文献】
【特許文献】
【０００３】
【特許文献１】特開２０１３−６８０００号公報
【発明の概要】
【発明が解決しようとする課題】
【０００４】
しかしながら、上記特許文献１に開示された間柱の固定構造では、間柱以外に固定金具が必要になると共に、固定金具は外柱の２側面に沿った形状とされかつ外柱に締結される構成とされていることから、部材が増加すると共に固定金具の形状が複雑となる。したがって、コストが増加する可能性がある。
【０００５】
本発明は上記問題を考慮し、コストを抑制することができる外壁フレームを得ることを目的とする。
【課題を解決するための手段】
【０００６】
第１の態様に係る外壁フレームは、建物の外壁部側に配置された外柱の側方に離間して配置される外壁縦フレームの一部を構成しかつ平断面形状がコ字状に形成され、外壁面材が取り付けられる第１外壁面材取付部と、当該第１外壁面材取付部の屋内側に離間して配置され板状に構成された断熱材が当接されかつ支持される断熱材取付部と、前記第１外壁面材取付部と前記断熱材取付部とを連結する連結部と、を含んで構成された第１縦フレームと、前記外壁縦フレームの他の一部を構成し、前記第１外壁面材取付部と同一の構成の第２外壁面材取付部と、当該第２外壁面材取付部に設けられると共に前記連結部に平行に配置されかつ前記連結部に取り付けられる結合部と、を含んで構成されかつ平断面形状が前記第２外壁面材取付部と前記結合部とによりＬ字状に形成された第２縦フレームと、を有し、前記断熱材は、前記第１縦フレームと前記第２フレームとの間にて分割され、前記第１縦フレームの前記断熱材取付部は、分割された前記断熱材のうち一方側のみに当接されている。
【０００７】
第２の態様に係る外壁フレームは、第１の態様に係る外壁フレームにおいて、前記外柱は、前記建物における出隅部に配置されており、前記第２縦フレームは、前記外柱に対向した位置に設けられかつ前記外柱と前記第２縦フレームとの間には繊維系断熱材が設けられている。
【０００８】
第１の態様によれば、外柱の側方に離間して配置される外壁縦フレームの一部は、第１縦フレームによって構成されている。この第１縦フレームは、第１外壁面材取付部と断熱材取付部と連結部とを含んで平断面形状がコ字状に形成されている。したがって、第１縦フレームは、第１外壁面材取付部に取り付けられた外壁面材に風等により力が加わると、第１外壁面材取付部から連結部を介して断熱材取付部へとこの力を伝達させることができる。一方、断熱材取付部は、断熱材と当接することで断熱材から反力を取ることができる。つまり、第１縦フレームは、外壁面材に加わる力を外柱と同様に受け止めることができる。
【０００９】
また、外壁縦フレーム３２の他方の一部は、第２縦フレームによって構成されている。この第２縦フレームは、第２外壁面材取付部と結合部とを含んで構成されている。結合部は、第１縦フレームの連結部と結合されていることから、第２外壁面材取付部に取り付けられた外壁面材に力が加わると、第２外壁面材取付部から結合部を介して第１縦フレームの断熱材取付部へ力を伝達させることができる。つまり、第２縦フレームに取り付けられた外壁面材に加わる力は、外柱と第１縦フレームとで受け止めることができるため、第２縦フレームにおいて断熱材から反力を取る構成が不要となる。したがって、第２縦フレームは断熱材取付部が不要となり、外壁面材取付部と結合部とによる簡素な構成とすることができる。さらに、第２縦フレームは、平断面形状がＬ字状とされていることで、外壁面材と断熱材との間の空間への第２縦フレームの張り出し量が小さくなる。したがって、外壁面材と断熱材との間にさらに別の断熱材を設ける際に、この断熱材の充填作業が行い易くなる。これにより、施工性を向上させることが可能となる。
【発明の効果】
【００１１】
以上説明したように、本発明に係る外壁フレームは、コストを抑制することができるという優れた効果を有する。
【図面の簡単な説明】
【００１２】
【図１】一実施形態に係る外壁フレームを有する建物ユニットを示す斜視図である。
【図２】図１のＡ−Ａ線に沿って切断した状態を示す拡大断面図である。
【発明を実施するための形態】
【００１３】
以下、図１、２を用いて、本発明に係る外壁フレームの一実施形態について説明する。
【００１４】
図１に示されるように、図示しない基礎上に複数載置されることで建物を構成する躯体としての建物ユニット１０は、直方体状を成している。なお、図１は本実施形態の構成をわかりやすくするため、外壁部１２に設けられる外壁面材１４（図２参照）を省略して表現している。この建物ユニット１０の四隅には、それぞれ外柱１６が配設されている。つまり、外柱１６は建物ユニット１０の一部を構成している。この外柱１６は、建物平面視で四角筒状の角形鋼により形成されている。また、外柱１６の上端部は、４本の天井大梁１８によってそれぞれ連結されている。さらに、外柱１６の下端部は４本の床大梁２０によってそれぞれ連結されている。さらにまた、天井大梁１８及び床大梁２０は、建物の高さ方向に沿って切断したときの断面形状がコ字状を成す溝形鋼により形成されている（不図示）。
【００１５】
一方の外柱１６から他方の外柱１６に亘って、外壁部１２が設けられている。この外壁部１２は、外壁面材１４と、外壁フレーム２２と、内壁フレーム２４と、断熱材としての壁内断熱材２６と、内壁面材２８とを含んで構成されている（図２参照）。
【００１６】
外壁フレーム２２は、建物上下方向に延設された外壁縦フレーム３２と、水平方向に延設された外壁横フレーム３３とで略矩形枠状に形成されている。この外壁縦フレーム３２及び外壁横フレーム３３は、鋼鉄製とされている。
【００１７】
外壁縦フレーム３２は、天井大梁１８（床大梁２０）の長手方向に沿って間隔を持って複数設けられている。また、外壁縦フレーム３２の建物上側の端部３７には、図示しない取付ブラケットが設けられており、この取付ブラケットと天井大梁１８のウェブ１９とが図示しない締結具で締結することで外壁縦フレーム３２ひいては外壁フレーム２２が天井大梁１８に固定されている。さらに、外壁縦フレーム３２の建物下側の端部３９は、建物上側の端部３７と同様の構成とされており、図示しない取付ブラケットによって床大梁２０に固定されている。なお、以下の説明では、外柱１６に隣接して配置された外壁縦フレーム３２を柱側縦フレーム４６と称し、それ以外の位置に配置された外壁縦フレーム３２を中間縦フレーム４８と称する。
【００１８】
中間縦フレーム４８は、図２に示されるように、２つの第１縦フレーム５０で構成されている。第１縦フレーム５０は、建物上下方向に延設されていると共に、第１外壁面材取付部３８と、断熱材取付部５２と、連結部５４とで平断面形状がコ字状を成す溝形鋼により形成されている。
【００１９】
第１外壁面材取付部３８は、建物上下方向に延設されており、外壁面材１４の建物内側面３４と当接する構成とされている。この第１外壁面材取付部３８と外壁面材１４とは、図示しない締結具によって締結されている。
【００２０】
断熱材取付部５２は、第１外壁面材取付部３８に対して建物内側に離間して配置されていると共に、建物上下方向に延設されている。つまり、断熱材取付部５２は第１外壁面材取付部３８と対向して配置されている。また、断熱材取付部５２は、壁内断熱材２６の建物外側面６２に当接されかつ支持されている。
【００２１】
連結部５４は、外壁面材１４の面直方向に延設されていると共に、第１外壁面材取付部３８の水平方向における一方の端部６４と、これと対応する断熱材取付部５２の水平方向における一方の端部６６とを外壁面材１４の面直方向で連結している。
【００２２】
中間縦フレーム４８は、一方の第１縦フレーム５０の連結部５４における外側面６８と、他方の第１縦フレーム５０の連結部５４における外側面６８とを当接させていると共に、それぞれの連結部５４の板厚方向に貫通された締結孔に締結具（いずれも不図示）を挿入して締結させることで構成されている。なお、中間縦フレーム４８の建物外側に配置された外壁面材１４は、中間縦フレーム４８における連結部５４同士の当接部に対応した位置で分割されていると共に、分割された外壁面材１４同士の間にはシール材７０が充填されている。
【００２３】
柱側縦フレーム４６は、第１縦フレーム５０と第２縦フレーム７２とで構成されている。第２縦フレーム７２は建物上下方向に延設されていると共に、第２外壁面材取付部４２と、結合部７４とを含んで構成されている。このうち、結合部７４は、第２外壁面材取付部４２の水平方向の一方の端部から外壁面材１４の面直方向（第１縦フレーム５０の連結部５４と平行）に延設されている。したがって、第２縦フレーム７２は、平断面形状が第２外壁面材取付部４２と結合部７４とでＬ字状に形成されている。また、結合部７４における外側面７５は、連結部５４の外側面６８と当接されかつ図示しない締結具によって締結されている。これにより、第２縦フレーム７２は第１縦フレーム５０に取り付けられている。
【００２４】
外壁フレーム２２の建物外側には、外壁面材１４が配置されている。この外壁面材１４は、一例として略矩形板状に形成されたサイディング材３５と、このサイディング材３５の建物内側面３４に接合されたプレート３６とが複数設けられた構成とされており、サイディング材３５の建物内側面３４には、第１縦フレーム５０における第１外壁面材取付部３８の建物外側面及び第２縦フレーム７２における第２外壁面材取付部４２の建物外側面が当接されている。そして、第１外壁面材取付部３８とプレート３６との間及び第２外壁面材取付部４２とプレート３６との間には、締結ブラケット４０が設けられており、この締結ブラケット４０を介して第１外壁面材取付部３８及び第２外壁面材取付部４２とプレート３６とが結合されている。これにより、外壁面材１４は外壁フレーム２２に結合されている。
【００２５】
外壁フレーム２２の建物内側には、内壁フレーム２４が離間して設けられている。この内壁フレーム２４は、建物上下方向に延設された内壁縦フレーム７６と、水平方向に延設された図示しない内壁横フレームとで略矩形枠状に形成されている。
【００２６】
内壁縦フレーム７６は、天井大梁１８（床大梁２０）の長手方向に沿って間隔を持って複数設けられていると共に、長手方向に直交する断面が矩形状に形成されている。なお、内壁縦フレーム７６は、外壁縦フレーム３２と対向した位置にそれぞれ配置されている。そして、それぞれの内壁縦フレーム７６の建物上下方向の両側の端部には、内壁横フレームが結合されている。この内壁横フレームは、一つの建物ユニット１０における一方の外柱１６からこれに対向する他方の外柱１６に亘って延設されている。
【００２７】
内壁フレーム２４の建物内側には、内壁面材２８が取り付けられている。この内壁面材２８は、一例として石膏ボード等で構成されており、内壁フレーム２４に図示しない締結具によって取り付けられている。また、内壁フレーム２４と外柱１６との間には、追加縦桟７７が設けられている。この追加縦桟７７は、建物上下方向に延設されていると共に、建物外側面は後述する内側断熱材６５と当接されている。また、追加縦桟７７の建物内側面は、内壁面材２８の水平方向における端部２９の建物外側面と当接されている。なお、一方の内壁面材２８の端部２９には、下地合板７９が設けられている。この下地合板７９は、水平方向に沿った断面形状が矩形状に形成されていると共に、内壁面材２８の端部２９と反対側の端部が後述する壁内断熱材２６と当接されている。
【００２８】
外壁フレーム２２と内壁フレーム２４との間には、壁内断熱材２６が設けられている。この壁内断熱材２６は、板状の樹脂系断熱材とされており、外壁フレーム２２と内壁フレーム２４とで狭持されている。具体的には、外壁縦フレーム３２の断熱材取付部５２と内壁縦フレーム７６の建物外側面及び内壁横フレームの建物外側面（不図示）とで狭持されている。
【００２９】
壁内断熱材２６の建物内側かつ内壁フレーム２４の枠内には、内側断熱材６５が設けられている。この内側断熱材６５は、板状に形成されており、建物外側面が壁内断熱材２６の建物内側面と当接するように配置されている。
【００３０】
外柱１６の側面７８には、第１柱断熱材８０と第２柱断熱材８２とが当接されている。第１柱断熱材８０は、板状の樹脂系断熱材とされており、外柱１６における第２縦フレーム７２と対向する側の側面７８にそれぞれ配置されている。また、第２柱断熱材８２は、第１柱断熱材８０と同様に板状の樹脂系断熱材とされており、外柱１６と外壁面材１４のプレート３６との間に配置されている。
【００３１】
外壁面材１４と壁内断熱材２６との間には空間Ｓが形成されている。この空間Ｓは、具体的には外壁面材１４と壁内断熱材２６と第１柱断熱材８０と第２縦フレーム７２とで囲まれて形成されている。そして、空間Ｓには、第３柱断熱材８４が設けられている。この第３柱断熱材８４は、繊維系断熱材とされており、空間Ｓの内部を埋めるように設けられている。
【００３２】
次に、本実施形態の作用並びに効果を説明する。
【００３３】
本実施形態によれば、図２に示されるように、外柱１６の側方に離間して配置される柱側縦フレーム４６の一部は、第１縦フレーム５０によって構成されている。この第１縦フレーム５０は、第１外壁面材取付部３８と断熱材取付部５２と連結部５４とを含んで平断面形状がコ字状に形成されている。したがって、第１縦フレーム５０は、第１外壁面材取付部３８に取り付けられた外壁面材１４に風等により力が加わると、第１外壁面材取付部３８から連結部５４を介して断熱材取付部５２へとこの力を伝達させることができる。一方、断熱材取付部５２は、壁内断熱材２６と当接することで壁内断熱材２６から反力を取ることができる。つまり、第１縦フレーム５０は、外壁面材１４に加わる力を外柱１６と同様に受け止めることができる。
【００３４】
また、柱側縦フレーム４６の他方の一部は、第２縦フレーム７２によって構成されている。この第２縦フレーム７２は、第２外壁面材取付部４２と結合部７４とを含んで構成されている。結合部７４は、第１縦フレーム５０の連結部５４と結合されていることから、第２外壁面材取付部４２に取り付けられた外壁面材１４に力が加わると、第２外壁面材取付部４２から結合部７４を介して第１縦フレーム５０の断熱材取付部５２へ力を伝達させることができる。つまり、第２縦フレーム７２に取り付けられた外壁面材１４に加わる力は、外柱１６と第１縦フレーム５０とで受け止めることができるため、第２縦フレーム７２において壁内断熱材２６から反力を取る構成が不要となる。したがって、第２縦フレーム７２は断熱材取付部５２が不要となり、第２外壁面材取付部４２と結合部７４とによる簡素な構成とすることができる。これにより、外壁フレーム２２を軽量化することができると共に、コストを抑制することができる。
【００３５】
また、第２縦フレーム７２は、平断面形状がＬ字状とされていることで、外壁面材１４と壁内断熱材２６との間の空間Ｓへの第２縦フレーム７２の張り出し量が小さくなる。したがって、外壁面材１４と壁内断熱材２６との間にさらに第３柱断熱材８４を設ける際に、この第３柱断熱材８４の充填作業が行い易くなる。また、この空間Ｓ内に電気部品等のコードを配策させる際にも第２縦フレーム７２が邪魔にならないことから、配線作業が容易となる。これにより、施工性を向上させることが可能となる。
【００３６】
さらに、第２縦フレーム７２の空間Ｓ内への張り出し量が少ないことで、第３柱断熱材８４をより多く充填することが可能となる。つまり、建物の断熱性能を向上させることが可能となる。
【００３７】
なお、本実施形態では、第２縦フレーム７２は、平断面形状がＬ字状とされているが、これに限らず、平断面形状が略三角形状やその他の形状とされていてもよい。
【００３８】
また、第１縦フレーム５０は、水平方向に沿った断面形状がコ字状に形成されているが、これに限らず、クランク状やその他の形状とされていてもよい。
【００３９】
さらに、第２縦フレーム７２は、外柱１６と隣接した位置に配置された柱側縦フレーム４６の外柱１６に隣接する側を構成しているが、これに限らず、柱側縦フレーム４６における外柱１６に隣接しない側を構成していてもよい。また、中間縦フレーム４８の一部を構成する等、その他の位置に配置されていてもよい。
【００４０】
以上、本発明の実施形態について説明したが、本発明は、上記に限定されるものでなく、その主旨を逸脱しない範囲内において上記以外にも種々変形して実施することが可能であることは勿論である。
【符号の説明】
【００４１】
１２   外壁部
１４   外壁面材
１６   外柱
２２   外壁フレーム
２６   壁内断熱材（断熱材）
３８   第１外壁面材取付部
４２   第２外壁面材取付部
５０   第１縦フレーム
５２   断熱材取付部
５４   連結部
７２   第２縦フレーム
７４   結合部
【図１】
0006636777.tif 000002
【図２】
0006636777.tif 000003